(57)【要約】【課題】押縁部材を取り外す際における作業性のよい丸窓を提供する。【解決手段】略円形の枠体内にガラス体を納め建物躯体に対して固定してなる丸窓において、枠体は室外枠１０と室内枠１３とからなり、室内枠１３は略半円形状の第１枠と第２枠とで略円形を形成し、第１枠と第２枠はそれぞれ断面に中空状の挿入部１３ａを有し、第１枠と第２枠の両端部にはその室内露出部を覆う被覆部２１と、第１枠と第２枠で略円形を形成した状態で各挿入部１３ａに対し嵌合自在な嵌合部２３ａとを備えた連結部材２０を設けて第１枠と第２枠とを連結してなる。【選択図】図５
2006225870.tif 000002
【特許請求の範囲】
【請求項１】
略円形の枠体内にガラス体を納め建物躯体に対して固定してなる丸窓において、
上記枠体は略円形で上記ガラス体の室外面を支持する室外枠と、該室外枠の室内側面を覆って上記ガラス体の室内面を支持する室内枠とからなり、
上記室内枠は略半円形状の第１枠と第２枠とを突き合わせて略円形を形成すると共に、断面に中空状の挿入部を有し、上記第１枠と第２枠の突き合わせ部にはその室内露出部を覆う被覆部と、上記第１枠と第２枠の各挿入部に対し端面から嵌合自在な嵌合部とを備えた連結部材を設けて上記第１枠と第２枠とを連結してなることを特徴とする丸窓。
【請求項２】
上記連結部材の嵌合部は上記第１枠と第２枠の各端面に当接する中間面と、該中間面の両面にそれぞれ上記第１枠と第２枠の挿入部に適合するように形成された嵌合爪とからなることを特徴とする請求項１記載の丸窓。
【請求項３】
上記第１枠と第２枠は各端面が略上記中間面の厚さだけ離隔して配置されることを特徴とする請求項２記載の丸窓。
【請求項４】
上記室外枠は金属により構成し、上記室内枠は樹脂により構成したことを特徴とする請求項１〜３のいずれか１項に記載の丸窓。
【請求項５】
上記連結部材の被覆部は上記嵌合部より室内側に向かって延出した延出片を備えてなることを特徴とする請求項１〜４のいずれか１項に記載の丸窓。
【請求項６】
上記連結部材は室外端部に上記ガラス体を室内側から押圧する押圧突起を有してなることを特徴とする請求項１〜５のいずれか１項に記載の丸窓。
【発明の詳細な説明】
【技術分野】
【０００１】
本発明は建物躯体に取付けられる円形状の丸窓に関し、特に押縁部材の連結を容易にし、連結部の水密性を確保すると共に、取付後において押縁部材のみを容易に交換可能な丸窓に関する。
【背景技術】
【０００２】
従来から、建物躯体の開口部に略円形の枠体を固定し、枠体の内部には略円形のガラス体を納めてなる丸窓が知られている。このような丸窓としては、例えば特許文献１に挙げるようなものがある。
【特許文献１】特開２００４−３１９４号公報
【０００３】
丸窓の枠体は、略円形の金属枠と、金属枠の室内側を覆い半円形状の部材を突き合わせて略円形を形成する押縁部材とから構成されている。押縁部材の突き合わせ部分には、連結部材が設けられてこれらを連結し、一体化している。金属枠はアルミなどの金属により構成され、押縁部材は金属により構成してもよいし、樹脂により構成してもよい。押縁部材を樹脂により構成した場合には、断熱性及び室内側から見た意匠性を向上させることができる。
【０００４】
また、連結部材は、中空状に形成された押縁部材の各端面から挿入自在な挿入部を両側に備えている。このため、押縁部材を連結するには、まず連結部材を両押縁部材に挿入して連結している。これにより枠体全体として略円形状を形成するようにしている。
【発明の開示】
【発明が解決しようとする課題】
【０００５】
しかし、従来の丸窓においては、連結部材を押縁部材の端面から挿入し、２つの押縁部材を連結するようにしていたので、挿入に力が必要で連結を行う作業が行いにくかった。また、押縁部材はビード材を介してガラスを押圧することで枠体の水密性を確保しているが、連結部分においては切れ目が生じて水密性が充分に確保できなかった。
【０００６】
さらに、丸窓においては、押縁部材を完成後に取り替えることがある。特に押縁部材を樹脂で構成した場合には、押縁部材が破損した場合や、デザインの異なる押縁部材を設ける場合などにおいて、押縁部材が交換される。しかし、従来の丸窓では、一旦組立てた後に押縁部材を取り外そうとすると、連結部材が各押縁部材に挿入されることでそれらを連結するものであるために、押縁部材全体を枠本体から取り外した上で、２つの押縁部材を分離しなければならなかった。そうすると、室内側の支持を失うガラス体も取り外さなければならず、作業性の悪いものであった。
【０００７】
本発明は、上記課題を解決すべくなされたものであり、押縁部材の連結の連結が容易で、全周に渡る水密性を確保できると共に、押縁部材を取り外す際における作業性のよい丸窓を提供することを目的とする。
【課題を解決するための手段】
【０００８】
上記課題を解決するため、本発明に係る丸窓は、略円形の枠体内にガラス体を納め建物躯体に対して固定してなる丸窓において、
上記枠体は略円形で上記ガラス体の室外面を支持する室外枠と、該室外枠の室内側面を覆って上記ガラス体の室内面を支持する室内枠とからなり、
上記室内枠は略半円形状の第１枠と第２枠とを突き合わせて略円形を形成すると共に、断面に中空状の挿入部を有し、上記第１枠と第２枠の突き合わせ部にはその室内露出部を覆う被覆部と、上記第１枠と第２枠の各挿入部に対し端面から嵌合自在な嵌合部とを備えた連結部材を設けて上記第１枠と第２枠とを連結してなることを特徴として構成されている。
【０００９】
また、本発明に係る丸窓は、上記連結部材の嵌合部は上記第１枠と第２枠の各端面に当接する中間面と、該中間面の両面にそれぞれ上記第１枠と第２枠の挿入部に適合するように形成された嵌合爪とからなることを特徴として構成されている。
【００１０】
さらに、本発明に係る丸窓は、上記第１枠と第２枠は各端面が略上記中間面の厚さだけ離隔して配置されることを特徴として構成されている。
【００１１】
さらにまた、本発明に係る丸窓は、上記室外枠は金属により構成し、上記室内枠は樹脂により構成したことを特徴として構成されている。
【００１２】
そして、本発明に係る丸窓は、上記連結部材の被覆部は上記嵌合部より室内側に向かって延出した延出片を備えてなることを特徴として構成されている。
【００１３】
また、本発明に係る丸窓は、上記連結部材は室外端部に上記ガラス体を室内側から押圧する押圧突起を有してなることを特徴として構成されている。
【発明の効果】
【００１４】
本発明に係る丸窓によれば、各々略半円形状の第１枠と第２枠の突き合わせ部にはその室内露出部を覆う被覆部と、第１枠と第２枠の室内枠に形成された各挿入部に対し端面から嵌合自在な嵌合部とを備えた連結部材を設けて連結したことにより、第１枠と第２枠の室内枠を円形状に突き合わせた状態で連結部材を着脱できるので、容易に連結作業を行うことができる。また、押縁部材となる室内枠について、第１枠の室内枠と第２枠の室内枠のいずれか一方だけ取り外し、その状態でガラス体の支持を維持することができる。したがって、ガラス体を取り外すことなく押縁部材の交換を容易に行うことができる。
【００１５】
また、本発明に係る丸窓によれば、連結部材の嵌合部は第１枠と第２枠の各端面に当接する中間面と、中間面の両面にそれぞれ第１枠と第２枠の挿入部に適合するように形成された嵌合爪とからなることにより、第１枠と第２枠の間に中間面を挿入して容易に嵌合させることができ、組立作業を容易にすることができる。
【００１６】
さらに、本発明に係る丸窓によれば、第１枠と第２枠はそれぞれの両端面を突き合わせた状態で室内枠の各端面が略中間面の厚さだけ離隔して配置されることにより、第１枠と第２枠の端面間の隙間から容易に中間面を挿入し、嵌合させることができるので、組立の作業性をより向上させることができる。
【００１７】
さらにまた、本発明に係る丸窓によれば、室外枠は金属により構成し、室内枠は樹脂により構成したことにより、断熱性及び室内側からの意匠性の高い丸窓とすることができる。
【００１８】
そして、本発明に係る丸窓によれば、連結部材の被覆部は嵌合部より室内側に向かって延出した延出片を備えてなることにより、延出片が連結部材を室内枠から取り外す際の取っ手とすることができ、容易に取り外し作業を行うことができる。
【００１９】
また、本発明に係る丸窓によれば、連結部材は室外端部にガラス体を室内側から押圧する押圧突起を有してなることにより、押縁部材の連結部分における水密性を充分に確保することができる。
【発明を実施するための最良の形態】
【００２０】
本発明の実施形態について図面に沿って詳細に説明する。図１には本実施形態における丸窓の斜視図を示している。この図に示すように、本実施形態における丸窓は、略円形状の枠体１を金属板３に固定し、この金属板３を建物躯体６に取付けられた下地材５に固定してなるものである。枠体１の内部には、ガラス体２が嵌め殺し状に納められている。また枠体１は、室外側を室外枠である金属枠１０により、室内側を樹脂からなる室内枠である押縁部材１３により、それぞれ構成されている。金属枠１０は、半円形状に形成された２つの枠材を突き合わせ溶接により連結してなり、押縁部材１３は、半円形状に形成された第１枠と第２枠の２つの部材を突き合わせ、連結部材２０により互いに連結してなっている。
【００２１】
図２には、丸窓の縦断面図を示している。この図に示すように、枠体１は室外側の金属枠１０と、その室内側を覆うように設けられる押縁部材１３とからなっている。金属枠１０は、アルミにより形成され、押縁部材１３は樹脂により形成されている。本実施形態の丸窓は、樹脂からなる押縁部材１３が金属からなる金属枠１０の室内側露出面を覆っていることにより、断熱性が高く、室内側から見た意匠性の高い複合サッシとして構成されている。
【００２２】
金属枠１０は、内周面の室外側に見付方向内側に向かって突出する室外押圧部１５を全周に渡って有しており、その先端部には室内側に向かって押縁材１５ａが設けられている。この押縁材１５ａによりガラス体２の室外面を支持している。また、金属枠１０は、外周面の室内外中間部にフィン状の取付部１４を全周に渡って有しており、この取付部１４がアルミからなる金属板３及び下地材５を介して建物躯体６に固定されている。
【００２３】
押縁部材１３は、断面中空状に形成され、内周面の室外端部が室外側に延出されて室内押圧部１６を、室内側端部が室内側に向かって延出されて室内延出部１３ｂを、それぞれ全周に渡って形成している。室内押圧部１６の先端部には室外側に向かって押縁材１６ａが設けられており、この押縁材１６ａによりガラス体２の室内面を支持している。また、押縁部材１３は、室内延出部１３ｂが室内化粧材１８を介して建物躯体６に対してネジ止めされる。室内化粧材１８は、枠体１の室内側に設けられるものであって、押縁部材１３の室内延出部１３ｂと重合し、建物躯体６の内周面を覆うように設けられる。
【００２４】
押縁部材１３の中空部分には、室内外方向に並設された２つの中空部１３ａ、１３ａが形成されており、これら中空部１３ａ、１３ａ間において金属枠１０に対するネジ止めがなされる。ネジは、内周面側から挿入されるため、内周面のネジ挿入口を隠すためにカバー体１３ｃが設けられる。
【００２５】
金属板３は、建物躯体６の開口に略適合する略円形状の開口を形成されており、建物躯体６に取付けられた下地材５に対し当接しネジ止めされる。また、枠体１の取付部１４は、金属板３の開口周縁部に対して室外側から重合状とされ、シール材１７を介してネジ止めされる。シール材１７は、ブチルシールや湿式シールからなり、枠体１の取付部１４と金属板３の重合面の略全体に渡るように輪状に形成されたものである。枠体１と金属板３については、金属材同士の重合面にシール材１７を設け、しかもネジ止めにより挟持されるので、容易かつ確実に止水をなすことができる。
【００２６】
次に、押縁部材１３の連結について説明する。図３には、丸窓の室内側から見た正面図を示している。この図では、金属枠１０及び押縁部材１３が左右の突き合わせ部１９において突き合わされており、図中右側の突き合わせ部１９は、連結前の状態を示し、図中左側の突き合わせ部１９は、連結後の状態を示している。
【００２７】
枠体１を室内側から見ると、枠体１を建物躯体６に取付けた際の室内側露出面となる内周側室内面は、押縁部材１３により構成されている。また、外周側は金属枠１０に形成された取付部１４により構成される。ここで、連結前の状態を示した図中右側の突き合わせ部１９は、金属枠１０については、両端面が互いに当接した状態となっているのに対し、押縁部材１３については、両端面が離隔して対向配置された状態となっている。この押縁部材１３における端面間の隙間に連結部材２０を取付けて両者を連結する。
【００２８】
連結部材２０はこのように押縁部材１３を連結するように構成されているので、図３の図中左側の突き合わせ部１９に示すように、連結部材２０は突き合わせ部１９のうち、押縁部材１３の部分を覆っている。金属枠１０の取付部１４については、室内側には露出しないため、突き合わせ部１９の室内側露出部分は、連結部材２０により覆われることになる。
【００２９】
図４には、連結部材２０の斜視図を示している。この図に示すように、連結部材２０はピース状の樹脂材からなり、突き合わせ部１９を覆う略Ｌ字状の被覆部２１と、被覆部２１の内側に平板状に設けられる中間面２３とから構成される。被覆部２１には、室内側に向かってさらに延出する延出部２２が形成されている。したがって、被覆部２１は全体としては押縁部材１３の室内露出面の形状に合わせて段状に形成される。
【００３０】
中間面２３は、押縁部材１３の端面間の隙間と略同じ厚みを有して形成されている。そして、その両面にはそれぞれ爪状の嵌合爪２３ａ、２３ａが形成されている。嵌合爪２３ａは、中間面２３の両面にそれぞれ２つずつ形成されており、押縁部材１３に２つ並設された中空部１３ａ、１３ａにそれぞれ嵌合するようにされている。
【００３１】
また、連結部材２０の室外側端部には、室外側に向かって突出する押圧突起２４が形成されている。押圧突起２４は、連結部材２０を突き合わせ部１９に取付けた状態で、押縁部材１３のガラス体２を押圧する室外側先端部と略連続状となり、押縁部材１３と同様にガラス体２を押縁材１６ａを介して室内側から押圧する。これによって、突き合わせ部１９における押縁部材１３の切れ目をなくし、押縁部材１３とガラス体２の間の水密性を略全周に渡って充分に確保することができる。
【００３２】
図５は、図３のうち突き合わせ部１９付近の拡大図である。この図に示すように、突き合わせ部１９のうち、押縁部材１３の部分については連結部材２０の被覆部２１により覆われる。また、連結部材２０の中間面２３は、押縁部材１３における突き合わせ部１９の隙間に挿入され、中間面２３の両面に形成された嵌合爪２３ａは、押縁部材１３の中空部１３ａに嵌合する。
【００３３】
図６は、枠体１の横断面図であって、連結部材２０を取付けた状態を示す断面図である。この図に示すように、連結部材２０の被覆部２１は、押縁部材１３の室内側露出面を覆うように重合状とされている。また、被覆部２１の延出部２２は、押縁部材１３の室内延出部１３ｂを覆っている。連結部材２０の中間面２３に形成された２つの嵌合爪２３ａ、２３ａは、それぞれ押縁部材１３の２つの中空部１３ａ、１３ａに嵌合し、連結部材２０が押縁部材１３に対して固定されている。反対側の中間面２３についても、同様に２つの嵌合爪２３ａ、２３ａが押縁部材１３の２つの中空部１３ａ、１３ａにそれぞれ嵌合している。
【００３４】
枠体１を組立てるに際しては、金属枠１０を略円形状を形成するように突き合わせて溶接し、ガラス体２を所定位置に配置しておく。次に、略半円形状の２つの押縁部材１３をそれぞれ金属枠１０に取付けて、ガラス体２を室内側から支持した状態とする。その状態を図７に示している。この図に示すように、押縁部材１３を金属枠１０に取付けた状態では、両押縁部材１３の間に隙間が生じている。この隙間に連結部材２０の中間面２３を挿入し、両面の嵌合爪２３ａを押縁部材１３の中空部１３ａに嵌合させる。
【００３５】
図８は、連結部材２０を取付けた状態の斜視図である。連結部材２０により両押縁部材１３は連結され、また押縁部材１３の室内露出部分となる内周面側は連結部材２０の被覆部２１により覆われる。
【００３６】
連結部材２０は、嵌合爪２３ａにより押縁部材１３の中空部に嵌合して両押縁部材１３を連結しているものであり、押縁部材１３内部に深く挿入されたものではないので、後で取り外すこともできる。室内側に延出された延出部２２を内周側に移動させることで、比較的容易に連結部材２０を押縁部材１３から取り外すことができる。
【００３７】
連結部材２０を取り外したら、再び図７の状態となるので、２つの押縁部材１３をそれぞれ独立して取り外すことができる。押縁部材１３のどちらか一方だけを取り外すことにより、ガラス体２の支持は維持されるので、重量の大きなガラス体２をそのままの状態で押縁部材１３だけを交換することが可能である。
【００３８】
以上、本発明の実施形態について説明したが、本発明の適用は本実施形態には限られず、その技術的思想の範囲内において様々に適用されうるものである。例えば、枠体１の構成について、金属枠１０は１つの枠材の両端部を連結して略円形状を形成するようにしてもよい。また、金属枠１０及び押縁部材１３とも、本実施形態では２つの部材を上下方向に配置して突き合わせているが、左右方向に配置してもよい。
【図面の簡単な説明】
【００３９】
【図１】本実施形態における丸窓の斜視図である。
【図２】丸窓の縦断面図である。
【図３】丸窓の室内側から見た正面図である。
【図４】連結部材の斜視図である。
【図５】図３のうち突合せ部分の拡大図である。
【図６】枠体の横断面図であって連結部材を取付けた状態を示す図である。
【図７】枠体の連結部材を取付ける前の状態の斜視図である。
【図８】枠体の連結部材を取付けた後の状態の斜視図である。
【符号の説明】
【００４０】
１    枠体
２    ガラス体
１０    金属枠
１３    押縁部材
１３ａ  中空部
１３ｂ  室内延出部
２０    連結部材
２１    被覆部
２２    延出部
２３    中間面
２３ａ  嵌合爪
２４    押圧突起
【図１】
2006225870.tif 000003
【図２】
2006225870.tif 000004
【図３】
2006225870.tif 000005
【図４】
2006225870.tif 000006
【図５】
2006225870.tif 000007
【図６】
2006225870.tif 000008
【図７】
2006225870.tif 000009
【図８】
2006225870.tif 000010